(57)【要約】【課題】窓枠或いは窓の框の左右・上下の位置のどこの位置でも、一つのデッドボルトユニットで対応できる補助錠の提供。【解決手段】この補助錠１は、施錠装置本体８からデッドボルトユニット２が着脱可能とされており、一対の取付基板２０，３０のいずれをも左右対称に形成することにより、施錠装置本体８に対して表裏交換可能に形成し、一対の取付基板２０、３０の間に、デッドボルト７を軸方向にスライド可能に保持するデッドボルトホルダーＤＨと、デッドボルト７を駆動するギアＧ１、Ｇ２、Ｇ３とウォームギア４２並びにはウォームセクターギア４３並びに揺動部材６０、モーター４１を配備した。【選択図】  図２
2005213782.tif 000002
【特許請求の範囲】
【請求項１】
開口部を開閉する１以上の開閉部材と、前記開口部との少なくともいずれか一つを第１取付部位とし、該第１取付部位以外の他の一つを第２取付部位とし、前記第１取付部位にデッドボルトを有する施錠装置本体を設け、前記第２取付部位に、前記デッドボルトを拘束する拘束部材とを有し、前記デッドボルトと前記拘束部材とを互いに干渉させて、前記開口部に前記開閉部材を開放不能に閉鎖する施錠装置のデッドボルトユニットであって、
前記デッドボルトを駆動可能に保持すると共に、前記施錠装置本体に対して表裏交換可能に構成されたことを特徴とするデッドボルトユニット。
【請求項２】
請求項１のデッドボルトユニットにおいて、
前記デッドボルトユニットは、一対の取付板部間に、前記デッドボルトを軸方向にスライド可能に保持する保持部材と、前記デッドボルトを駆動する駆動機構とを少なくとも配備して構成されると共に、該一対の取付板部のいずれもベースユニットに対して取付可能とされていることを特徴とするデッドボルトユニット。
【請求項３】
請求項１，２の何れか記載のデッドボルトユニットにおいて、
前記保持部材に前記デッドボルトの保持穴を形成し、前記駆動機構に前記デッドボルトの揺動部材を軸止し、前記保持部材に、該揺動部材の可動端部を揺動可能に通す揺動開口部を形成し、前記揺動部材の可動端部を前記デッドボルトに連結したことを特徴とするデッドボルトユニット。
【請求項４】
請求項１乃至請求項３の何れか記載のデッドボルトユニットにおいて、
前記デッドボルトに、前記デッドボルトの先端部が前記拘束部材の嵌合部の縁部に当接したことと、前記デッドボルトが前記拘束部材の嵌合部に適正に嵌合したことと、前記デッドボルトが前記嵌合部に嵌合せず且つ前記嵌合部の縁部にも当接していないことの３態様を検出可能なセンサを設けたことを特徴とするデッドボルトユニット。
【請求項５】
請求項４のデッドボルトユニットにおいて、
前記デッドボルトの内部に、接触子と固定接点からなる複数個のスイッチを設け、前記デッドボルトの前記拘束部材側に向けられる軸方向の端部に、前記デッドボルトと前記拘束部材との接触状態によって前記デッドボルトの突出量を変化させる検出部を設け、該検出部と前記複数個のスイッチによって前記第１センサ乃至第３センサを構成したことを特徴とするデッドボルトユニット。
【請求項６】
請求項１乃至請求項５の何れかのデッドボルトユニットを備えていることを特徴とする施錠装置。
【発明の詳細な説明】
【技術分野】
【０００１】
本発明は、窓や扉を施錠するデッドボルトユニット及び施錠装置に関し、更に詳しくは、建物等の施工完了後に設置可能なデッドボルトユニット及び施錠装置に関する。
【背景技術】
【０００２】
施錠装置には多種多様なものが知られているが、特に建物の窓や扉などを施錠する施錠装置であって、建物の施工完了後に設置する施錠装置としては、建物用補助錠などがある。このような建物用補助錠は、引き違い式のサッシ戸用開口部において、開口部中央側に位置する両縦框の一方に、デッドボルトを備えた補助錠本体を設置し、他方の縦框近傍にデッドボルトに干渉して両方のサッシ戸の開放を規制する受け部材を設けたものが知られている。
【特許文献１】特開２００３ー２２７２５９号公報
【発明の開示】
【発明が解決しようとする課題】
【０００３】
しかしながら、例えば、扉や窓には、（イ）引き違い式でスライドする引き戸（或いは扉以下同じ）と（ロ）ヒンジを中心として回動させて扉を開けるタイプのヒンジ窓（或いは扉、以下同じ）の違いがある。
【０００４】
そして、引き戸においても、（ハ）引き戸が複数ある場合、（ニ）引き戸が１つだけの場合の違いがある。また、ヒンジ窓においても、（ホ）ヒンジ部分が右側にある場合、（ヘ）ヒンジ部分が左側にある場合、（ト）ヒンジ部分が窓枠上部にある場合、（チ）ヒンジ部分が窓枠下部にある場合がある。
【０００５】
更に、このような場合であっても、デッドボルトを有する施錠装置本体と、デッドボルトが嵌合する嵌合穴を有する拘束部材とを、（１）窓（或いは扉）に設置する場合と、（２）窓枠（扉枠）に設置する場合があるなど、多様な設置パターンがある。
【０００６】
このため、建物の全ての窓や扉等の開口部に施錠装置である補助錠を設置するためには、そのパターンと数に応じた施錠装置本体を用意する必要があり、設置に当たって必要個数を誤ると、準備した施錠装置が無駄になるという問題があった。
【０００７】
本発明は、このような問題に着目してなされたものであり、一つのパターンの施錠装置によって、引き戸か回転窓かの違いや、建物の内部から外側に向かって左右、上下のいずれにヒンジがあっても、或いは、窓（或いは扉）と窓枠（或いは扉枠）のどちらにデッドボルトを設置するかに容易に対応可能な施錠装置を提供することを目的とする。
【課題を解決するための手段】
【０００８】
上記課題を解決するために、本願の第１のデッドボルトユニットは、開口部を開閉する１以上の開閉部材と、前記開口部との少なくともいずれか一つを第１取付部位とし、該第１取付部位以外の他の一つを第２取付部位とし、前記第１取付部位にデッドボルトを有する施錠装置本体を設け、前記第２取付部位に、前記デッドボルトを拘束する拘束部材とを有し、前記デッドボルトと前記拘束部材とを互いに干渉させて、前記開口部に前記開閉部材を開放不能に閉鎖する施錠装置のデッドボルトユニットであって、前記デッドボルトを駆動可能に保持すると共に、前記施錠装置本体に対して表裏交換可能に構成されたことを特徴とする。
【０００９】
本願の第２のデッドボルトユニットは、前記第１のデッドボルトユニットにおいて、前記デッドボルトユニットは、一対の取付板部間に、前記デッドボルトを軸方向にスライド可能に保持する保持部材と、前記デッドボルトを駆動する駆動機構とを少なくとも配備して構成されると共に、該一対の取付板部のいずれもベースユニットに対して取付可能とされていることを特徴とする。
【００１０】
本願の第３のデッドボルトユニットは、前記第１、第２の何れか記載のデッドボルトユニットにおいて、前記保持部材に前記デッドボルトの保持穴を形成し、前記駆動機構に前記デッドボルトの揺動部材を軸止し、前記保持部材に、該揺動部材の可動端部を揺動可能に通す開口部を形成し、前記揺動部材の可動端部を前記デッドボルトに連結したことを特徴とする。
【００１１】
本願の第４のデッドボルトユニットは、請求項１乃至請求項３の何れか記載のデッドボルトユニットにおいて、前記デッドボルトに、前記デッドボルトの先端部が前記拘束部材の嵌合部の縁部に当接したことと、前記デッドボルトが前記拘束部材の嵌合部に適正に嵌合したことと、前記デッドボルトが前記嵌合部に嵌合せず且つ前記嵌合部の縁部にも当接していないことの３態様を検出可能なセンサを設けたことを特徴とする。
【００１２】
本願の第５のデッドボルトユニットは、前記第４のデッドボルトユニットにおいて、前記デッドボルトの内部に、接触子と固定接点からなる複数個のスイッチを設け、前記デッドボルトの前記拘束部材側に向けられる軸方向の端部に、前記デッドボルトと前記拘束部材との接触状態によって前記デッドボルトの突出量を変化させる検出部を設け、該検出部と前記複数個のスイッチによって前記第１センサ乃至第３センサを構成したことを特徴とする。
【００１３】
本願の施錠装置は、前記第１乃至第５の何れかのデッドボルトユニットを備えていることを特徴とする。
【発明の効果】
【００１４】
本願のデッドボルトユニットによれば、引き違い式の引き戸（窓或いは扉を含む）や、ヒンジを中心に回動するヒンジ戸（窓或いは扉を含む）に施錠装置を取り付ける場合に、デッドボルトユニットの表裏を交換して固定することにより、窓枠或いは窓の框の左右・上下の位置のどこの位置でも、一つのデッドボルトユニットで対応でき、右用のデッドボルトユニットや左用のデッドボルトユニットを作成する必要がなく、低コストであり、取付の手間もかからない。
【発明を実施するための最良の形態】
【００１５】
以下、本発明の最良の形態にかかるデッドボルトユニット及びこれを用いた施錠装置を実施例及び図面に基づいて説明する。
【実施例】
【００１６】
図１、図２は本願の実施例にかかる施錠装置としての補助錠１及び補助錠１のデッドボルトユニット２を示している。この補助錠１は、窓枠等の開口部に、回転窓或いは回転扉等のヒンジにより回動するタイプの回転扉３（回転部材、以下、この発明では回転窓を含めて回転扉という。）に用いられるものであり、主錠は別に設けられる。尚、補助錠１は施錠装置本体８と拘束部材６とで構成されている。
【００１７】
図２４乃至図２８はこの補助錠１を回転扉３に設置する形態を示している。図２４は、右側の窓枠４（第１取付部位）に補助錠１を取り付け、左側の窓框５（第２取付部位）側に拘束部材６を取り付けた状態を示している。また、図２５は、左側の窓枠４（第１取付部位）に補助錠１を取り付け、右側の窓框５（第２取付部位）側に拘束部材６を取り付けた状態を示している。更に、図２６は下側の窓枠４（第１取付部位）に補助錠１を取り付け、上側の窓框５（第２取付部位）側に拘束部材６を取り付けた状態を示しており、図２７は上側の窓枠４（第１取付部位）に補助錠１を取り付け、下側の窓框５（第２取付部位）側に拘束部材６を取り付けた状態を示している。図２８は右側の窓框５（第１取付部位）に補助錠１を取り付け、左側の窓枠４（第２取付部位）側に拘束部材６を取り付けた状態を示している。尚、６Ａはデッドボルト７が拘束される拘束部材６の拘束部である。この拘束部は貫通孔又は凹部或いは段差部でも良い。
【００１８】
図２４乃至図２７に示すように、従来の補助錠を設置する場合には右用或いは左用の違いが生じるが、この実施の形態の補助錠１を用いれば、１種類の補助錠１のみでこれらの上下左右の違いのある配置形態に適用できる。
【００１９】
また、図２８に示すように、窓枠４に拘束部材６を取り付け、窓框５側に補助錠１を取り付けるパターンであっても、窓枠の上下左右の違いにより、一方の側面からのみデッドボルト７（図１０参照）が出入する場合には、右用或いは左用の違いが生じるが、この実施の形態の補助錠１を用いれば、１種類の補助錠１のみでこれらの上下左右の違いのある配置形態に適用できる。
【００２０】
尚、この補助錠１は回転扉３に用いているが、スライド式の引き戸に用いても良く、補助錠でなく主錠に適用しても良いのは勿論である。
【００２１】
以下、補助錠１の構成を説明する。図１（ａ）（ｂ）（ｃ）及び図２（ａ）（ｂ）（ｃ）はこの実施の形態にかかる補助錠１を示す。この補助錠１は施錠装置本体８とデッドボルトユニット２とで構成される。
【００２２】
施錠装置本体８は、例えば窓枠３に固定される筐体９を備えている（筐体９を窓框５に固定する場合もある）。また、デッドボルトユニット２を窓枠３に固定してデッドボルトユニット２に筐体９を保持させても良い。
【００２３】
筐体９の内部には、デッドボルト７をスライドさせるための動力源となる乾電池１２、基板１３Ａ、アンテナ、通信回路及び監視制御用回路（図示省略）が備えられている。
【００２４】
施錠装置本体８の筐体９の上面部には、解錠ボタン１０が設けられており、解錠ボタン１０の内側には警告ランプが設けられている。補助錠１は家庭内に設置される図示しない集中監視装置と電波を通して通信可能とされている。補助錠１は、集中監視装置からの施錠命令信号により、図１０に示すデッドボルト７を拘束部材６の拘束部６Ａ（拘束部材の嵌合部であり、ここでは貫通孔とされる。図２１乃至図２８参照）に挿入され、解錠命令信号によりデッドボルト７を拘束部材６の拘束部６Ａから引き抜くようになっている。
【００２５】
また、補助錠１は集中監視装置からの警戒命令信号により、施錠中の解錠やガラス破壊がなされたことを検出して警戒音を発生したり、集中監視装置から居住者に通信できるようになっている。
【００２６】
補助錠１の筐体９の上部に設けられた解錠ボタン１０は、警戒中に解錠する必要があるときに、解錠ボタン１０を押して、解錠ボタン１０を押した補助錠１が解錠したことを、集中監視装置に送信する。解錠したときには、再度施錠を促すように、警戒ランプを点灯させても良いし、所定時間経過後に自動的に施錠するようにしても良い。
【００２７】
補助錠１の筐体９は、窓枠４或いは窓框５に固定するデッドボルトユニット２に、ネジ１１Ａにより固定される。即ち、建物の一部として固定されている窓枠４に、デッドボルトユニット２を後述するネジによって固定した後に、デッドボルトユニット２に筐体９の本体カバー９Ａを被せてネジ１１Ａによって筐体９を固定する。
【００２８】
筐体９の本体カバー９Ａは、図２（ｂ）の太線で示すように、デッドボルトユニット２の上部及び側面をカバーできるように形成されており、カバー９Ａの上部にはデッドボルトユニット２の収納室９Ｄが形成されている。カバー９Ａはデッドボルトユニット２のデッドボルト７を出入可能な開口部９Ｂを備えている。この開口部９Ｂは左右いずれにも形成されているが、使用しない方の開口部９Ｂは図１（ｂ）に示すように硬質カバーラベル１１Ｂによって封鎖されている。
【００２９】
筐体９の本体カバー９Ａには、デッドボルトユニット２の下方には乾電池１２を収納するバッテリー室１２Ａが形成され、バッテリー室１２Ａはカバー板１２Ｂを開けて乾電池１２を着脱交換できるようになっている。バッテリー室１２Ａの隣には、制御室１３が設けられており、この制御室内に、補助錠１側の監視制御及び集中監視装置との通信のための基板１３Ａとアンテナ、通信回路及び監視制御用回路（図示省略）とが組み込まれている。
【００３０】
また、制御室１３の上部には警告灯切換スイッチ１４Ａと設定切換スイッチ１４Ｂが設置されている。警告灯切換スイッチ１４Ａは解錠ボタン１０に設けられた警告ランプの点灯条件を切り換えるためのものであり、設定切換スイッチ１４Ｂは監視条件や警告条件或いは解錠条件を切り換えるためのものである。本体カバー９Ａの底部には水切りスリット９Ｃが開口されている。
【００３１】
図３乃至図２３は補助錠１のデッドボルトユニット２の構成並びに動作状態を示す。
【００３２】
図３はデッドボルトユニット２の表側のベースプレート３０（図７（ａ）（ｂ）参照）を取り外したものを示している。図３に示すデッドボルトユニット２では、窓枠４に固定する裏側のベースプレート２０（図７（ａ）（ｂ）参照）を備えており、このベースプレート２０の上下端部近傍には、図６に示すように、窓枠４に取り付けるための幅方向に延びる長穴２１が開口されている。
【００３３】
ベースプレート２０，３０は、本発明の一対の取付基板の実施例であり、表裏面が平らな金属板で形成され、両者共に同じ輪郭形状とされ、幅方向の中心線を中心として左右対称形状に形成されている。左右対称形状とすることによって、デッドボルトユニット２を表裏交換して取り付け可能とするためであり、デッドボルトユニット２の左右どちらからでもデッドボルト７を出入できるようにするためである。
【００３４】
ベースプレート２０の上端部側の左右対称の位置には、図６に示すように、デッドボルトホルダーロア２２（図８参照）を取り付けるネジ２３Ａを通すためのテーパー付き取付穴２３が一対形成されており、更に、ベースプレート２０の中間部上側にデッドボルトホルダーロア２２を取り付けるネジ２４Ａを通すためのテーパー付き取付穴２４が形成されている。ベースプレート２０の下端部にはコネクタホルダー２５を取り付けるネジ２６Ａを通すためのテーパー付き取付穴２６が形成されている。
【００３５】
２７は、後述するウォームセクタースタッド２８（図５参照）を取り付ける取付用ネジ穴であり、２８は駆動系取付基板２９（図１１（ａ）（ｂ）参照）を固定するためのネジを通す穴であり、２９Ａはホームポジションスイッチ４０（図３参照）を取り付けるネジを通すための穴である。
【００３６】
ホームポジションスイッチ４０は、後述する揺動部材６０の押圧部６０Ｄ（図１３参照）に押されてＯＮとなり、そのＯＮ／ＯＦＦ信号を補助錠１の前記監視制御用回路に送信する。ホームポジションスイッチ４０が押圧部６０Ｄに押されているときに、デッドボルト７はデッドボルトホルダーＤＨの中の突出前の待機位置に位置している。
【００３７】
同様に、図７に示すように、デッドボルトユニット２の表側に取り付けられるベースプレート３０の上下端部近傍には、窓枠４に取り付けるための幅方向に延びる長穴３１が開口されている。ベースプレート３０の上端部側の左右対称の位置には、図９に示すデッドボルトホルダーアッパー３２を取り付けるネジ３３Ａを通すためのテーパー付き取付穴３３が一対形成されており、更に、ベースプレート３０の中間部上側にデッドボルトホルダーアッパー３２を取り付けるネジ３４Ａを通すためのテーパー付き取付穴３４が形成されている。ベースプレート３０の下端部にはコネクタホルダー２５を取り付けるネジ２６Ａを通すためのテーパー付き取付穴３５が形成されている。
【００３８】
デッドボルトユニット２において、ベースプレート２０の上に、ネジ２３Ａ、２４Ａによりデッドボルトホルダーロア２２及びデッドボルトホルダーアッパー３２が固定されている。デッドボルトホルダーロア２２及びデッドボルトホルダーアッパー３２は共に結合されてデッドボルトホルダーＤＨ（保持部材）を構成する。
【００３９】
デッドボルトホルダーロア２２は、図８（ａ）の平面図に示すように、ベースプレート２０の長穴２１と同形同大で同じ位置に設けられる長穴２２Ａと、ネジ２３Ａを通す一対のネジ穴２２Ｂと、ネジ２４Ａを通すネジ穴２２Ｃとが開口されている。また、デッドボルトホルダーロア２２の上面であってデッドボルトホルダーアッパー３２と接触する面には、図８（ｂ）、（ｃ）、（ｄ）に示すように、デッドボルト７の接触突起部５０Ａ（図１６参照）を通過させる溝２２Ｅと、デッドボルト７を往復動作させる揺動部材６０（図３参照）の上端部を通過させるための凹部２２Ｆ（揺動開口部）と、段部２２Ｇとが形成されている。段部２２Ｇのベースプレート２０側には、取付基板２９の上端部を挿入する段部２２Ｈが形成されている。更に、デッドボルトホルダーロア２２の窓枠４側の面には、デッドボルトユニット２を裏返して左右逆に窓枠４に取り付ける際に、カバー９Ａ（図２参照）のネジ１１Ａを螺着させるネジ穴２２Ｉが形成されている。
【００４０】
ネジ２４Ａを通す穴２２Ｃの形成された部位は図８（ａ）下方に突出しており、この突出部分２２Ｐの右側の空間は、揺動部材６０を駆動するウォームセクターギア４３を配設するための空間を形成し、デッドボルトホルダー２２，３２並びにデッドボルトユニット２のコンパクト化を極力図るために形成されたものである。この突出部分２２Ｐの下側の凹部２２Ｑは、図３に示すホームポジションスイッチ４０の端子を配設するためのものである。更に、デッドボルトホルダーロア２２の上部両角部の切り欠き２２Ｄには、筐体９のカバー９Ａの上部内側両角部が嵌合する。
【００４１】
デッドボルトホルダーアッパー３２は、図９（ａ）の平面図に示すように、ベースプレート２０の長穴２１と同形同大で同じ位置に設けられる長穴３２Ａと、ネジ３３Ａがねじ込まれる一対のネジ穴と、ネジ３４Ａがねじ込まれる穴とが開口されている。デッドボルトホルダーアッパー３２のデッドボルトホルダーロア２２側の面には、図４，図５に示すように、ネジ２３Ａがねじ込まれる一対のネジ穴３２Ｂと、ネジ２４Ａがねじ込まれる穴３２Ｃとが開口されている。デッドボルトホルダーアッパー３２の窓枠４側の反対面には、カバー９Ａのネジ１１Ａを螺着させるネジ穴３２Ｉが形成されている。
【００４２】
また、デッドボルトホルダーアッパー３２の下面であってデッドボルトホルダーロア２２と接触する面には、デッドボルト７をスライド可能に保持収納する第１溝３２Ｅ（デッドボルト７の保持穴、図９（ｄ）参照）と、デッドボルト７の接触突起部５０Ａ（図１６参照）を通過させる第２溝３２Ｆとが形成されている。デッドボルト７の保持穴は、デッドボルトホルダーアッパー３２とデッドボルトホルダーロア２２とを重ね合わせたときに、第１溝３２Ｅの内壁面とデッドボルトホルダーロア２２の上面とで、形成される。
【００４３】
第２溝３２Ｆの拘束部材６（図２１参照）から遠い部分は、デッドボルト７のストッパー部５１（図１６参照）を往復動作させるために更に深い溝とされている。第２溝３２Ｆの奥部は、デッドボルト７の突出時のストッパーとなる壁３２Ｇとされている。この壁３２Ｇは、デッドボルト７がデッドボルトユニット２から突出してゆくときに、ストッパー部５１が壁３２Ｇに当たって、センサ本体ＳＢをそれ以上突出させないように、センサ本体ＳＢの突出限界を定めている。また、デッドボルトホルダーアッパー３２の駆動機構側の壁面には、揺動部材としての揺動部材６０の揺動を許容する開口部３２Ｈが形成されている。
【００４４】
更に、デッドボルトホルダーアッパー３２のネジ３４Ａを通す穴３２Ｃの形成された部位は図９（ａ）下方に突出しており、この突出部分３２Ｐの右側の空間は、揺動部材６０を駆動するウォームセクターギア４３を配設するための空間を形成し、デッドボルトホルダー２２，３２並びにデッドボルトユニット２のコンパクト化を極力図るために形成されたものである。デッドボルトホルダーアッパー３２の上部両角部の切り欠き３２Ｄには、筐体９のカバー９Ａの上部内側両角部が嵌合する。
【００４５】
ベースプレート２０に固定的に取り付けられる駆動系取付基板２９には、図１１に示すように、駆動源となるモーター４１を取り付ける起立板部２９Ａと、ウォームギア４２を取り付ける起立板部２９Ｂと揺動部材６０の揺動を規制するストッパー部２９Ｃとが上部に起立して設けられている。取付基板２９の中央部近傍には、スタッド取付穴２９Ｄが開口されており、このスタッド取付穴２９Ｄにウォームセクタースタッド２８が固定されて立てられる。
【００４６】
起立板部２９Ａ、２９Ｂ間には、ウォームギア４２が回転自在に取り付けられる。また、起立板部２９Ａ側には中間の２段ギアＧ２を回転可能に保持するピン２９Ｅが取り付けられている。モーター４１の出力軸の軸受部は起立板部２９Ａに取り付けられており、起立板部２９Ａにモーター４１が保持されている。モーター４１の出力軸は起立板部２９Ａを貫通しており、モーター４１の出力軸にはギアＧ１が固定されている。ウォームギア４２の片方の軸は起立板部２９Ａを回転可能に貫通しており、ギアＧ３を固定的に備えている。ギアＧ１、Ｇ２、Ｇ３とウォームギア４２並びにウォームセクターギア４３は、駆動源であるモーター４１の減速機構を構成している。
【００４７】
ウォームセクターギア４３は、プラスチックで形成されるものであり、中心部にウォームセクタースタッド２８が貫通し、ウォームセクターギア４３はスタッド２８の周りを回転可能とされている。ウォームセクターギア４３は、図１２に示すように、取付基板２９から遠い位置にギア部分４３Ａを備え取付基板２９に近い部分に筒部４３Ｂを備えている。この筒部４３Ｂ内部には、デッドボルト７をデッドボルトホルダーＤＨ内に戻す方向に、揺動部材６０の連結ピン６０Ａを付勢するための弦巻バネ（図示省略）が配設される。この弦巻バネの一端部は筒部４３Ｂのスリット４３Ｃに掛け止められ、弦巻バネの他端部は揺動部材６０の掛け止め穴６０Ｂに掛け止められる。
【００４８】
ウォームセクターギア４３の下部には揺動部材６０の装着穴６０Ｃ（図１３（ａ）参照）に挿通される小径の筒部４３Ｄが設けられている。揺動部材６０はウォームセクターギア４３の回転を弦巻バネを介して受け、ウォームセクターギア４３の回転と共に回転する。揺動部材６０がストッパー２９Ｃやデッドボルト７の突出限界まで移動したときに、ウォームセクターギア４３がモーター４１の慣性で回りすぎてもこの弦巻バネが撓んで両者の回転量の違いを吸収する。これによって、窓枠４と窓框５との距離が設置条件によって変化しても、デッドボルト７を拘束部材６との拘束部６Ａに適正に挿入できる。ウォームセクターギア４３の筒部４３Ｂのスリット４３Ｃの反対側には弦巻バネの他端部の回動を許容する溝４３Ｅが形成されている。
【００４９】
揺動部材６０は、図１３に示すように、ウォームセクターギア４３に回転可能に装着される装着穴６０Ｃを備えており、装着穴６０Ｃの下方部位にホームポジションスイッチ４０に接触して押圧する押圧部６０Ｄを備えている。押圧部６０Ｄは取付基板２０側に突出している。この押圧部６０Ｄの反対側の位置には、デッドボルト７と結合する連結ピン６０Ａが取り付けられている。
【００５０】
ギアＧ１、Ｇ２、Ｇ３と、ウォームギア４２と、ウォームセクターギア４３と、揺動部材６０とは、デッドボルト７の駆動機構を構成している。
【００５１】
コネクタホルダー２５は、プラスチックで形成され、図１４（ａ）（ｂ）（ｃ）に示すように、ベースプレート２０の長穴２１に取付用のネジを通すための凹部２５Ａと、コネクタ８０（図３，図４参照）を収納する収納室２５Ｂと、位置決め突起２５Ｃとが形成されている。収納室２５Ｂにはコネクタ８０が固定され、コネクタ８０のリード線は図示しない貫通孔を介してホームポジションスイッチ４０側に延びている。このコネクタ８０は、制御装置本体である筐体９側の通信回路及び制御回路並びにバッテリー１２の電源回路に接続されている。
【００５２】
次に、デッドボルト７について説明する。デッドボルト７は、図１０に示すように、コの字形断面の閂部１００と、閂部１００の内部に収納されるセンサ部１３０とで構成される。
【００５３】
センサ部１３０は、センサ本体ＳＢと、インナーケース部１１０と、カバー部１２０とで構成されている。インナーケース部１１０には、固定側の端子１１３、１１４、１１５が取り付けられている。センサ本体ＳＢには、可動側の接触子１３３が取り付けられている。
【００５４】
閂部１００は、図１９（ｂ）（ｃ）に示すように、コの字形をした鋼板製の部材で形成され、金属からなる拘束部材６の拘束部６Ａに充分挿入されて閂部１００の直角方向に強い力が作用しても十分に耐えることができるようになっている。閂部１００の一方の端部には溝１０１が形成されている。この溝１０１はセンサ部１３０の下部に形成された接触突起部５０Ｂの動きを許容するものである。
【００５５】
閂部１００の他方の端部には揺動部材６０の連結ピン６０Ａが挿入される長穴１０２が形成されている。長穴１０２は、揺動部材６０が揺動するときに連結ピン６０Ａの円弧状の軌跡を吸収して閂部１００を軸方向に直線運動させるためのものである。閂部１００の長穴１０２側の側壁部には、センサ部１３０のリード線を通す切り欠き部１０３が形成されている。閂部１００の底部内側にはインナーケース部１１０（図２２（ｂ）参照）を固定するための固定穴１０４が一対形成されている。
【００５６】
図１５乃至図１８に示すように、インナーケース部１１０は、プラスチックからなるものであり、閂部１００より一回り小さなコの字形の断面形状を有している。インナーケース部１１０の上面部は開放されており、カバー部１２０が覆っている。インナーケース部１１０の両側壁部には係止突起１１１が一対形成されており、この一対の係止突起１１１にカバー部１２０の爪部１２１が掛け止められている。インナーケース部１１０の底部表面には、閂部１００の底部の固定穴１０４に固定される位置決め突起１１２が一対形成されている。
【００５７】
インナーケース部１１０の底部内側には、図２０及び図２１に示すように、インナーケース部１１０の軸方向に延びる３本の端子１１３、１１４、１１５が取り付けられている。この３本の端子の内の中央部の端子１１４（図２１参照）は給電用の端子である。端子１１４の端子の図２１の上側の端子１１３は、デッドボルト７が拘束部材６の拘束部６Ａの縁に当たっていることを検出する端子である。また、端子１１４の図２１の下側の端子１１５は、デッドボルト７が拘束部材６の拘束部６Ａに適正に挿入されたことを検出する端子である。
【００５８】
端子１１３は端子１１４より短く、端子１１５は端子１１３より短く形成されている。また、端子１１３，１１４，１１５のストッパー壁１１６側の部位は硬質ラベル１１７等で覆われている。硬質ラベル１１７で端子１１３、１１４，１１５を覆う理由は、センサ部１３０のセンサ本体ＳＢが突出限界まで突出したことを電気的に検出するためであり、詳しい説明は後述する。
【００５９】
図１６〜図１８に拡大して図示されるセンサ本体ＳＢは、インナーケース部１１０に保持される棒状の形態を有しており、一方の端部が拘束部材６に挿入される検出部１３１とされ、他方の端部がセンサ本体ＳＢの突出限界を定めるストッパー部５１とされている。センサ本体ＳＢの検出部１３１は、本体部１３２より幅広でインナーケース部１１０の幅と同一幅とされ、閂部１００のコの字形の内側空間にぴったりと納められる幅を有している。
【００６０】
センサ本体ＳＢのカバー部１２０と対面する上面部１３２Ａは、インナーケース部１１０の上端部と等しい高さとされている。センサ本体ＳＢの下面部１３２Ｂはインナーケース部１１０の溝の底部１１０Ａより若干高い位置になるように設定されている。
【００６１】
センサ本体ＳＢの上面部１３２Ａには、インナーケース部１１０内をスライドするときのカバー部１２０との摩擦抵抗を少なくするための凸部１３４が複数個それぞれ形成されている（図１８参照）。同様に、センサ本体ＳＢの本体部１３２の側面部であってインナーケース部１１０の側壁部１１０Ａ、１１０Ｂに対面する部位には、センサ本体ＳＢがインナーケース部１１０内をスライドするときの摩擦抵抗を少なくするための凸部１３５が複数個それぞれ形成されている（図１８参照）。
【００６２】
検出部１３１の上下には接触突起部５０Ａ、５０Ｂが形成されており、接触突起部５０Ａより接触突起部５０Ｂが長く形成されている。これは、閂部１００の中にインナーケース部１１０更にはセンサ本体ＳＢを収納した場合に、閂部１００とインナーケース部１１０の肉厚を含めてデッドボルト７の肉厚中心ＴＣ（図１９（ａ）参照）から接触突起部５０Ａの端面或いは突起部５０Ｂの端面との距離を等しくするためであり、デッドボルトユニット２を表裏交換して窓枠５に取り付けても、拘束部材６の拘束部６Ａの縁部に適正に接触させるためである。
【００６３】
従って、接触突起部５０Ｂが下面部１３２Ｂから突出する突出量は接触突起部５０Ａが上面部１３２Ａから突出する突出量がより、閂部１００とインナーケース部１１０の肉厚を含めた分だけ長くなっている。
【００６４】
また、拘束部材６側の拘束部６Ａは、既に説明したように、凹部や段差部で構成されていても良い。拘束部６Ａの大きさは、デッドボルト７を拘束するためにはデッドボルト７の断面形状と同じ大きさのものには限らない。例えば、デッドボルト７の断面形状より拘束部６Ａの大きさが大きい場合であっても、スライド式の戸（或いは窓）若しくはヒンジ式の戸（或いは窓）を適正に閉めたときに、拘束部６Ａの縁部からデッドボルト７を引き離し不能に干渉させる構造であれば、良い。接触突起部５０Ａと接触突起部５０Ｂとが両面に形成されていることによって、スライド式の戸（或いは窓）若しくはヒンジ式の戸（或いは窓）を閉鎖状態から開放状態に移動する方向が、施錠装置の設置箇所によって様々に異なっていても、一つの施錠装置によって対応することが自由なものとなる。
【００６５】
センサ本体ＳＢの中間部からストッパー部５１までの間には、矩形に形成された開口部１３６が設けられており、開口部１３６内にコイルスプリング１３７（図１９（ａ）参照）が配設される。コイルスプリング１３７の一端部には、開口部１３６の前側壁部に突設された矩形の突起部１３８が挿入されてコイルスプリング１３７が保持され、コイルスプリング１３７の他端部は、インナーケース部１１０のストッパー壁１１６に当接している。コイルスプリング１３７はセンサ部１３０をインナーケース部１１０から突出させる方向にセンサ本体ＳＢを付勢している。ストッパー部５１を支える一対の軸部５１Ａは、ストッパー壁１１６の上部両脇の溝１１６Ａの保持されており、溝１１６Ａの中を自在に摺動可能とされている。
【００６６】
センサ本体ＳＢの下面部１３２Ｂには、図２０に示すように、フォーク状の形状を有する金属製接触部１３３が設けられており、この金属製接触部１３３は、３本の等しい長さの接触子１３３Ａ、１３３Ｂ、１３３Ｃを備えている。金属製接触部１３３は、センサ本体ＳＢの突起部１３９にカシメられて固定されている。センサ本体ＳＢの下面部１３２Ｂの前端部には、コイルスプリング１３７の弾性付勢力に抗してセンサ本体ＳＢを支持するストッパー部１４０が形成されており、ストッパー部１４０は、コイルスプリング１３７の弾性付勢力によって、インナーケース部１１０の前壁部１１７に突き当てられている。センサ本体ＳＢは、このストッパー部１４０と前壁部１１７とが突き当たり、また、ストッパー部５１と壁３２Ｇとが突き当たっているところまで、インナーケース部１１０内を摺動可能とされている。
【００６７】
検出部１３１の前端面と、接触突起部５０Ａ、５０Ｂと、ストッパー部５１は、閂部１００とセンサ部１３０が拘束部材６の拘束部６Ａの縁部に当接したとき、閂部１００とセンサ部１３０が拘束部材６の拘束部６Ａの内部に適正に挿入されたとき、閂部１００とセンサ部１３０が拘束部材６に当たらないで空振りしたときのそれぞれの閂部１００とセンサ部１３０の移動量を定めるものであり、これらの３つの状態を、端子１１３、１１４，１１５と、接触子１３３Ａ、１３３Ｂ、１３３Ｃの接触状態の組合せによって判断するために機能するものである。
【００６８】
次に、この補助錠１におけるデッドボルト７が拘束部材６の拘束部６Ａに施錠される状態について説明する。
【００６９】
図１９（ａ）は、デッドボルト７が拘束部材６に向かって移動していないとき、即ち、デッドボルト７の施錠動作が行われていない初期状態或いは非動作状態におけるセンサ本体ＳＢと閂部１００との位置関係を示す。図２０（ｂ）は、デッドボルト７の施錠動作が行われていない初期状態或いは非動作状態における端子１１３、１１４，１１５と、接触子１３３Ａ、１３３Ｂ、１３３Ｃの接触状態を示す。
【００７０】
デッドボルト７の施錠動作が開始すると、デッドボルト７がデッドボルトユニット２から拘束部材６に向かって突出し始める。この時、閂部１００の進出方向前端部１００Ｆと接触突起部５０Ａ、５０Ｂの先端面５０Ｆは面一になっている。
【００７１】
図２１（ａ）に示すように、デッドボルト７が適正に拘束部材６の拘束部６Ａに適正に挿入されると、接触突起部５０Ａ、５０Ｂが拘束部６Ａの縁部に当たった後、センサ部１３０が図２１（ａ）の左から右側にスライドして、インナーケース部１１０の奥側に向かってスライドする。この時のスライド量Ｓ１（図２１（ａ）参照）は、デッドボルトユニット２の端面から拘束部材６の拘束部６Ａの縁部までの距離の如何に関わらず一定である。
【００７２】
即ち、デッドボルトユニット２の端面から拘束部材６の拘束部６Ａの縁部までの距離は、窓枠４（固定側）と窓框５（可動側）との設置状況や補助錠１と拘束部材６との取付位置の状況によって一定しない。従って、デッドボルト７の突出量は突出限界以内において適正に施錠するためには、デッドボルト７のスライド量に許容量を設ける必要がある。また、閂部１００が拘束部材６の拘束部６Ａに入る進入量も所定の強度を確保する必要がある。この所定の進入量は、閂部１００の先端部１００Ｆと拘束部材６の拘束部６Ａの縁部との距離となる。
【００７３】
この実施の形態では、この閂部１００の先端部１００Ｆと接触突起部５０Ａ、５０Ｂの前端面５０Ｆとの離間距離Ｓ１によって定められる。
【００７４】
この離間距離Ｓ１だけスライドしたときに、端子１１５と接触子１３３Ｃとが導通するように、端子１１５の長さが決められている。そして、図２１（ｂ）（ｃ）に示すように、接触子１３３Ｂと端子１１４は導通しており、端子１１４からは給電されているので、接触子１３３Ａと端子１１３とが接触して導通し、更に、接触子１３３Ｃと端子１１５が導通する。従って、端子１１３の出力Ｃ１が「Ｈ」（ＯＮ）になると共に、端子１１５の出力Ｃ２が「Ｈ」になる。これによって、出力Ｃ１とＣ２をアンド回路により論理積を取ると、アンド回路の出力は「Ｈ」（ＯＮ）となり、「適正施錠」と判断することができる。
【００７５】
次に、図２２（ａ）に示すように、デッドボルト７の先端部が拘束部材６の拘束部６Ａの縁部に当たっているときは、センサ本体ＳＢの前端面１３０Ｆと閂部１００の前端面１００Ｆとが面一となる。
【００７６】
この時、図２２（ｂ）に示すように、接触子１３３Ｂと端子１１４は導通し、端子１１３と接触子１３３Ａが導通するものの、端子１１５と接触子１３３Ｃは導通しないので、端子１１３の出力Ｃ１が「Ｈ」になり、端子１１５の出力Ｃ２は「Ｌ」のままである（図２１（ｃ）参照）。従って、端子１１３の出力Ｃ１が「Ｈ」（ＯＮ）になる一方、端子１１５の出力Ｃ２が「Ｌ」（ＯＦＦ）になる。
【００７７】
これによって、出力Ｃ１とＣ２をアンド回路により論理積を取ると、アンド回路の出力は「Ｌ」（ＯＦＦ）となり、「施錠失敗」と判断することができる。即ち、端子１１５と接触子１３３Ｃとは導通しないこととなり、デッドボルト７の先端部が拘束部材６の拘束部６Ａの縁部に当たっていることを検出できる。
【００７８】
更に、図２３（ａ）に示すように、デッドボルト７の先端部が窓ガラスや窓框５に当たったり、何にも当たらない「空振り状態」のときは、ストッパー部５１が壁３２Ｇに当たってセンサ本体ＳＢが突出限界まで突出すると共に、閂部１００は、揺動部材６０の揺動限界まで突出する。この閂部１００の突出量はセンサ本体ＳＢの突出量より大きいため、閂部１００が突出限界まで突出し、センサ本体ＳＢが突出限界まで突出すると、閂部１００の先端からセンサ本体ＳＢの先端が閂部１００の奥に沈み込む。この沈み込む量は、接触子１３３Ａが端子１１３に導通する距離である。従って、「空振り状態」のときは、接触子１３３Ｂが端子１１４と接触し、接触子１３３Ａが端子１１３と接触するので、端子１１３の出力がＯＮ（Ｈ）となり、端子１１５の出力はＯＦＦ（Ｌ）のままである。従って、デッドボルト７が空振りしたことが検出できる。
【００７９】
なお、デッドボルト７の空振りを検知するためには、これに限らない。例えば、センサ本体ＳＢの突出量と閂部１００の突出量とを同じに設定して、ホームポジションスイッチ４０がＯＮしてから所定時間経過してから、揺動部材６０が揺動限界まで揺動してモーター４１が回転停止し、モーター４１の電流が増大したことを検出して「空振り」と判断しても良い。
【００８０】
更に、閂部１００の突出限界に対してセンサ本体ＳＢの突出限界の差が大きい場合には、図２３（ｃ）に示すように、端子１１３、１１４、１１５のストッパー５１側の部位を絶縁ラベル等で覆って、端子１１３と接触子１３３Ａの組と、端子１１４と接触子１３３Ｂの組と、端子１１５と接触子１３３Ｃの組が、それぞれ所定の位置のみで、導通するように構成しても良い。これによれば、「空振り」の時には、揺動部材６０の揺動開始から所定時間経過後にもかかわらず、給電用の端子１１４も給電ができず他の端子１１３，１１５も導通しないので、デッドボルト７の先端部が空振り状態であるとを検出できる。
【００８１】
以上説明したように、この実施の形態にかかる施錠装置は、窓框５又は窓枠４の何れかに拘束部材６を固定し、窓框５又は窓枠４の何れかにデッドボルト７を備えた施錠装置本体８を固定するものであり、デッドボルト７を拘束部材６に干渉させて施錠する補助錠１で構成され、デッドボルトユニット２は、デッドボルト７を軸方向にスライド可能に保持するデッドボルトホルダーＤＨ（保持部材）と、デッドボルト７を駆動する駆動機構（ギアＧ１、Ｇ２、Ｇ３とウォームギア４２並びにはウォームセクターギア４３並びに揺動部材６０）とを一対のベースプレート２０、３０（取付板部）間に配備したものである。デッドボルトユニット２の一対のベースプレート２０、３０のいずれも、施錠装置本体８に対して取付可能とされている。
【００８２】
また、デッドボルトホルダーＤＨをプラスチックにて成型し、デッドボルトホルダーＤＨの側面から内部にデッドボルト７を保持し、揺動部材６０にデッドボルト７を連結しており、デッドボルトユニット２を表裏交換して施錠装置本体８に装着したときでも、左右いずれからのデッドボルト７を出入できるようにしている。
【００８３】
更に、デッドボルト７は、デッドボルト７の先端部が拘束部材６の拘束部６Ａ（嵌合部）の縁部に当接したことと、デッドボルト７が拘束部材６の拘束部６Ａに適正に嵌合したことと、デッドボルト７が拘束部６Ａに嵌合せず且つ拘束部６Ａの縁部にも当接していないことを検出するために、センサ部１３０を備えている。
【００８４】
すなわち、デッドボルト７は、その内部に、スイッチ（端子１１３〜１１５と接触子１３３Ａ〜１３３Ｃからなる）を設け、デッドボルト７の拘束部材６側に向けられる軸方向の端部に、デッドボルト７と拘束部材６との接触状態によってデッドボルト７の突出量を変化させる検出部（接触突起部５０Ａ、５０Ｂ並びにデッドボルト７の前端部１３０Ｆと閂部１００の前端部１００Ｆ）を設け、該検出部とスイッチによって前記第１センサ乃至第３センサを構成している。
【００８５】
更に、デッドボルトユニット２は、窓框５又は窓枠４の何れか一方に拘束部材６を固定し、窓框５又は窓枠４の何れか他方にデッドボルト７を備えたデッドボルトユニット２を固定し、デッドボルト７を拘束部材６に干渉させて施錠するための補助錠１に用いるものであって、デッドボルト７を軸方向にスライド可能に保持するデッドボルトホルダーＤＨと、デッドボルト７を駆動する駆動機構とが、一対の取付基板２０，３０間に配備して構成されると共に、デッドボルトユニット２により突出変位する閂部１００とセンサ部１３０がデッドボルトユニット２の上下面間の肉厚中心に対して振り分け対称に配置されているため、一対の取付基板２０，３０のいずれも、施錠装置本体８に対して表裏交換可能に取付けることができる。
【００８６】
上記実施の形態の補助錠１によれば、引き違い式の引き戸（窓或いは扉を含む）や、ヒンジを中心に回動するヒンジ戸（窓或いは扉を含む）に補助錠１を取り付ける場合に、デッドボルトユニット２の表裏を交換して固定することにより、窓枠４或いは窓框５の左右・上下の位置のどこの位置でも、一つのデッドボルトユニット２で対応でき、右用のデッドボルトユニットや左用のデッドボルトユニットを作成する必要がなく、低コストであり、取付の手間もかからないという優れた利点がある。
【００８７】
尚、上記のデッドボルト７の駆動源には、モーター４１を用いたが、直線方向に往復するソレノイドを用いても良い。ソレノイドを用いる場合には直線運動を揺動部材６０の揺動運動に代えるためのリンク機構を設けても良い。また、デッドボルト７の往復する方向をＺ軸方向とした場合に、拘束部材６がＸ軸方向或いはＹ軸方向に移動する開口部又はドアや窓に適用しても良い。
【産業上の利用可能性】
【００８８】
本願の施錠装置或いはデッドボルトユニットは、建物や倉庫或いはケース等の窓や扉に予め据え付けられる主錠或いは後付けされる補助錠に用いられるものである。
【図面の簡単な説明】
【００８９】
【図１】図１（ａ）は本発明の実施の形態にかかる施錠装置となる補助錠の正面図、（ｂ）は補助錠の側面図、（ｃ）は補助錠の底面図である。
【図２】図２は本発明の実施の形態にかかる施錠装置となる補助錠のカバーを開けた状態の正面図、（ｂ）は補助錠の内部構造を示す断面図である。
【図３】図３は図１の補助錠のデッドボルトユニットの上部取付板を除いた正面図である。
【図４】図４は図３の施錠ジュールの上部取付板を除いた左側面図である。
【図５】図５は図３のデッドボルトユニットの上部取付板を除いた左側面図である。
【図６】図６（ａ）は下側（窓枠側）の取付基板の裏面図、（ｂ）は（ａ）の側面図である。
【図７】図７（ａ）は上側（窓枠の反対側）の取付基板の裏面図、（ｂ）は（ａ）の側面図である。
【図８】図８（ａ）はデッドボルトホルダー部の下部ブロックの平面図、（ｂ）は下部ブロックの正面図、（ｃ）は下部ブロックの底面図、（ｄ）は下部ブロックの右側面図である。
【図９】図９（ａ）はデッドボルトホルダー部の上部ブロックの平面図、（ｂ）は上部ブロックの正面図、（ｃ）は上部ブロックの底面図、（ｄ）は上部ブロックの右側面図、（ｅ）は図９（ｄ）のＡ−Ａ線断面図である。
【図１０】図１０はデッドボルトの概観を示す斜視図である。
【図１１】図１１（ａ）は駆動系取付基板の平面図、（ｂ）は取付基板の側面図である。
【図１２】図１２（ａ）は揺動部材を駆動するギアの正面図、（ｂ）は揺動部材を駆動するギアの左側面図、（ｃ）はギアの底面図である。
【図１３】図１３（ａ）は揺動部材の正面図、（ｂ）は揺動部材の左側面図である。
【図１４】図１４（ａ）はコネクタホルダー部の正面図、（ｂ）はコネクタホルダーの平面図、（ｃ）はコネクタホルダーの底面図、（ｄ）はコネクタホルダーの左側面図である。
【図１５】図１０（ａ）はセンサ部及びインナーケース部の正面部、（ｂ）はセンサ部及びインナーケース部の平面図、（ｃ）はセンサ部及びインナーケース部の底面図、（ｄ）はセンサ部の左側面図、（ｅ）はセンサ部及びインナーケース部の右側面図である。
【図１６】図１６は通常状態のデッドボルト内のセンサ部の斜視図である。
【図１７】図１７は窓ガラス等に当たっていない空振り状態のデッドボルト内のセンサ部の斜視図である。
【図１８】図１８はデッドボルトのカバーを外した状態のセンサ部の斜視図である。
【図１９】図１９（ａ）はデッドボルトホルダー内のデッドボルトの配設状態を示す断面図、（ｂ）はデッドボルトのチャネル型金具の平面図、（ｃ）はデッドボルトのチャネル型金具の正面図である。
【図２０】図２０（ａ）はインナーケース部の端子とセンサ部の接触子の形状及び配置状態を示す説明図、図２０（ｂ）はインナーケース部の端子とセンサ部の接触子の通常時の接触状態を示す説明図である。
【図２１】図２１（ａ）はデッドボルトが適正に拘束部材の拘束部に挿入されたときのデッドボルトの内部状態を示す断面図、図２１（ｂ）はデッドボルトが拘束部に適正に挿入されて施錠されているときの接触状態を示す説明図、図２１（ｃ）は図２１（ａ）、図２２（ａ）、図２３（ａ）のときの端子１１３〜１１５の出力信号図である。
【図２２】図２２（ａ）はデッドボルトが窓部の拘束部の縁部に当たっているときのデッドボルトの内部状態を示す断面図、図２２（ｂ）はデッドボルトが拘束部の縁部に当たっているときの接触状態を示す説明図である。
【図２３】図２３（ａ）はデッドボルトが窓部や拘束部材から外れて空振りをしたときのデッドボルトの内部状態を示す断面図、図２３（ｂ）はデッドボルトが空振り状態の接触状態を示す説明図、図２３（ｃ）は他のタイプのデッドボルトが窓部や拘束部材から外れて空振りをしたときのデッドボルトの内部状態を示す断面図である。
【図２４】図２４は右側の窓枠に補助錠を取り付け、左側の窓側に拘束部材を取り付けた状態の図である。
【図２５】図２５は左側の窓枠に補助錠を取り付け、右側の窓側に拘束部材を取り付けた状態の図である。
【図２６】図２６は下側の窓枠に補助錠を取り付け、上側の窓側に拘束部材を取り付けた状態の図である。
【図２７】図２７は上側の窓枠に補助錠を取り付け、下側の窓側に拘束部材を取り付けた状態の図である。
【図２８】図２８は右側の窓枠に補助錠を取り付け、左側の窓側に拘束部材を取り付けた状態の図である。
【符号の説明】
【００９０】
１  補助錠
２  デッドボルトユニット
３  回転扉
４  窓枠
５  窓框
７  デッドボルト
８  施錠装置本体
９  筐体
２０  取付基板
３０  取付基板
ＤＨ  デッドボルトホルダー（デッドボルトの保持部材）
２２  デッドボルトホルダーロア
３２  デッドボルトホルダーアッパー
４１  モーター
５０Ａ、５０Ｂ  接触突起部
５１  ストッパー
６０  揺動部材
１００  閂部
１０１  閂部の溝
１１０  インナーケース部
１３０  センサ部
１１３、１１４、１１５  端子
１３３Ａ、１３３Ｂ、１３３Ｃ  接触子
１３１  検出部
１３２  センサ部の本体
【図１】
2005213782.tif 000003
【図２】
2005213782.tif 000004
【図３】
2005213782.tif 000005
【図４】
2005213782.tif 000006
【図５】
2005213782.tif 000007
【図６】
2005213782.tif 000008
【図７】
2005213782.tif 000009
【図８】
2005213782.tif 000010
【図９】
2005213782.tif 000011
【図１０】
2005213782.tif 000012
【図１１】
2005213782.tif 000013
【図１２】
2005213782.tif 000014
【図１３】
2005213782.tif 000015
【図１４】
2005213782.tif 000016
【図１５】
2005213782.tif 000017
【図１６】
2005213782.tif 000018
【図１７】
2005213782.tif 000019
【図１８】
2005213782.tif 000020
【図１９】
2005213782.tif 000021
【図２０】
2005213782.tif 000022
【図２１】
2005213782.tif 000023
【図２２】
2005213782.tif 000024
【図２３】
2005213782.tif 000025
【図２４】
2005213782.tif 000026
【図２５】
2005213782.tif 000027
【図２６】
2005213782.tif 000028
【図２７】
2005213782.tif 000029
【図２８】
2005213782.tif 000030